(57)【特許請求の範囲】
【請求項１】
洗い場の水を排出する洗い場排水口を有する洗い場床パンと、
浴槽内の水を排出する浴槽排水口を有する浴槽と、
前記洗い場から排出された水を受ける洗い場側導水口と、前記浴槽内から排出された水を受ける浴槽側導水口と、を有し前記洗い場の水および前記浴槽内の水を排水管へ排出する排水トラップと、
を備え、
前記排水トラップの前記洗い場側導水口と前記浴槽側導水口との相対位置は、固定され、
前記洗い場側導水口が前記洗い場排水口に回転不能に接続され、前記浴槽側導水口が前記浴槽排水口に回転不能に接続されることにより、前記洗い場床パンに対する前記浴槽の位置が決定されることを特徴とする浴室ユニット。
【請求項２】
前記洗い場床パンおよび前記浴槽を支持する架台をさらに備え、
前記排水トラップは、前記架台に取り付けられ固定されたことを特徴する請求項１記載の浴室ユニット。
【請求項３】
前記架台は、
前記洗い場床パンを載置する洗い場用架台と、
前記洗い場用架台と所定位置で連結され前記浴槽を載置する浴槽用架台と、
を有し、
前記排水トラップは、
前記洗い場側導水口が形成された排水トラップ本体と、
前記浴槽側導水口が形成された排水エルボと、
を有し、
前記排水トラップ本体は、前記洗い場用架台に取り付けられ、前記排水エルボは、前記浴槽用架台に取り付けられたことを特徴とする請求項２記載の浴室ユニット。
【請求項４】
前記浴槽を載置する側の前記浴槽用架台の上面および前記浴槽用架台に載置される側の前記浴槽の下面のいずれか一方には凸部が設けられ、
前記上面および前記下面のいずれか他方には前記凸部と嵌合可能な凹部が設けられたことを特徴とする請求項３記載の浴室ユニット。
【請求項５】
前記凸部は、前記凹部に遊嵌され、前記凹部に対して水平方向に移動可能であることを特徴とする請求項４記載の浴室ユニット。
【請求項６】
前記浴槽用架台は、
上面部を形成するフレーム材と、
前記フレーム材から前記洗い場用架台へ向かって突出し、前記排水エルボを保持可能な支持材と、
を有することを特徴とする請求項３〜５のいずれか１つに記載の浴室ユニット。
【請求項７】
前記支持材は、前記洗い場用架台の側から水平方向に前記排水エルボを挿入可能な開口部を有することを特徴とする請求項６記載の浴室ユニット。
【請求項８】
架台を設置面上に設置し、
互いの相対位置が固定された洗い場側導水口および浴槽側導水口を有する排水トラップを前記架台に取り付け、
前記架台に支持され洗い場排水口を有する洗い場床パンを前記架台の上に載置し、前記架台に取り付けられた前記排水トラップの前記洗い場側導水口の位置に前記洗い場排水口の位置を合わせ、前記洗い場側導水口と前記洗い場排水口とを回転不能に接続して前記架台の所定位置に前記洗い場床パンを固定し、
前記架台に支持され浴槽排水口を有する浴槽を前記架台の上に載置し、前記架台に取り付けられた前記排水トラップの前記浴槽側導水口の位置に前記浴槽排水口の位置を合わせ、前記浴槽側導水口と前記浴槽排水口とを回転不能に接続して前記架台の所定位置に前記浴槽を固定することを特徴とする浴室ユニットの施工方法。
【発明の詳細な説明】
【技術分野】
【０００１】
本発明の態様は、一般的に、浴室ユニットおよび浴室ユニットの施工方法に関する。
【背景技術】
【０００２】
洗い場パンと、浴槽を下方から受ける浴槽パンと、が別体として設けられ、連結部材によって連結固定される浴室ユニットが開示されている（特許文献１）。また、洗い場床が設置される架台と、浴槽が設置される浴槽支持部と、が別体として設けられ、例えばねじなどの締結部材により連結されるユニットバスが開示されている（特許文献２）。このように、洗い場床と浴槽とが分割された浴室ユニットでは、例えば、洗い場床を基準として浴槽の位置決めを行う。
【０００３】
しかしながら、洗い場床と浴槽との間に複数の介在部材が存在すると、洗い場床と浴槽との距離や相対位置にばらつきが生ずる場合がある。この場合には、洗い場床と浴槽との間に取り付けられたバスエプロンの両脇に隙間が生ずる場合がある。また、バスエプロンの両脇に生ずる隙間を最小限にするため、作業者が浴槽の位置を調整する場合がある。しかしながら、バスエプロンが取り付けられる浴槽と洗い場床との間の開口には高低差があるため、浴槽と洗い場床との位置関係を正確に測定することは困難である。また、作業負荷が比較的大きい。これらの点において、改善の余地がある。
【０００４】
これに対して、洗い場床と浴槽とを連結する連結部材を備えた浴室ユニットが開示されている（特許文献３）。これによれば、正確且つ容易に浴槽の位置決め設置を行うことができる。しかしながら、特許文献３に開示された連結部材は、浴槽の底部に固定される。そのため、浴槽を設置した後に連結部材を浴槽の底部に固定する場合には、連結部材の取り付けが困難であるという点において改善の余地がある。また、浴槽を設置する前に連結部材を浴槽の底部に固定する場合には、浴槽の搬送あるいは設置をするときに連結部材が他の部材と接触するおそれがあるという点において改善の余地がある。
【先行技術文献】
【特許文献】
【０００５】
【特許文献１】特開２００１−２９２９２６号公報
【特許文献２】特開２０１０−２００８４７号公報
【特許文献３】特開２００８−１５４９４６号公報
【発明の概要】
【発明が解決しようとする課題】
【０００６】
本発明は、かかる課題の認識に基づいてなされたものであり、洗い場床に対して浴槽の位置決めを正確に行うことができる浴室ユニットおよび浴室ユニットの施工方法を提供することを目的とする。
【課題を解決するための手段】
【０００７】
第１の発明は、洗い場の水を排出する洗い場排水口を有する洗い場床パンと、浴槽内の水を排出する浴槽排水口を有する浴槽と、前記洗い場から排出された水を受ける洗い場側導水口と、前記浴槽内から排出された水を受ける浴槽側導水口と、を有し前記洗い場の水および前記浴槽内の水を排水管へ排出する排水トラップと、を備え、前記排水トラップの前記洗い場側導水口と前記浴槽側導水口との相対位置は、固定され、前記洗い場側導水口が前記洗い場排水口に回転不能に接続され、前記浴槽側導水口が前記浴槽排水口に回転不能に接続されることにより、前記洗い場床パンに対する前記浴槽の位置が決定されることを特徴とする浴室ユニットである。
【０００８】
この浴室ユニットによれば、排水トラップが有する洗い場側導水口と浴槽側導水口との相対位置は、予め固定されている。また、洗い場側導水口は、洗い場排水口に回転不能に接続されている。さらに、浴槽側導水口は、浴槽排水口に回転不能に接続されている。これにより、洗い場床パンに対する浴槽の位置が決定されている。つまり、互いの相対位置が固定された洗い場側導水口および浴槽側導水口を有する排水トラップを利用して、洗い場床パンに対する浴槽の位置が決定されている。
【０００９】
これによれば、洗い場床パンに対して浴槽の位置決めを正確に行うことができる。そのため、洗い場床パンと浴槽との距離や相対位置にばらつきが生ずることを抑えることができる。そして、バスエプロンと、バスエプロンの脇に設けられた壁パネルと、の間に隙間が生ずることを抑えることができる。また、互いに隣り合う壁パネル同士が設計値よりも離れる位置に設置されたり、近づく位置に設置されることを抑えることができる。
【００１０】
また、第２の発明は、第１の発明において、前記洗い場床パンおよび前記浴槽を支持する架台をさらに備え、前記排水トラップは、前記架台に取り付けられ固定されたことを特徴する浴室ユニットである。
【００１１】
この浴室ユニットによれば、排水トラップが架台に取り付けられ固定された状態で、洗い場側導水口は、洗い場排水口に回転不能に接続され、浴槽側導水口は、浴槽排水口に回転不能に接続されている。そのため、洗い場床パンに対して浴槽の位置決めを行うときに、例えば差し金などを用いた作業は、不要となる。これにより、洗い場床パンに対して浴槽の位置決めをより容易に行うことができる。
【００１２】
また、第３の発明は、第２の発明において、前記架台は、前記洗い場床パンを載置する洗い場用架台と、前記洗い場用架台と所定位置で連結され前記浴槽を載置する浴槽用架台と、を有し、前記排水トラップは、前記洗い場側導水口が形成された排水トラップ本体と、前記浴槽側導水口が形成された排水エルボと、を有し、前記排水トラップ本体は、前記洗い場用架台に取り付けられ、前記排水エルボは、前記浴槽用架台に取り付けられたことを特徴とする浴室ユニットである。
【００１３】
この浴室ユニットによれば、排水トラップの水平方向における位置決めをより確実且つより容易に行うことができる。また、洗い場床パンに対する浴槽の位置決めをさらに正確に行うことができる。
【００１４】
また、第４の発明は、第３の発明において、前記浴槽を載置する側の前記浴槽用架台の上面および前記浴槽用架台に載置される側の前記浴槽の下面のいずれか一方には凸部が設けられ、前記上面および前記下面のいずれか他方には前記凸部と嵌合可能な凹部が設けられたことを特徴とする浴室ユニットである。
【００１５】
この浴室ユニットによれば、浴槽用架台の上面および浴槽の下面のいずれか一方に形成された凸部を、浴槽用架台の上面および浴槽の下面のいずれか他方に形成された凹部に嵌合させることで、浴槽用架台に対して浴槽が回転することを抑えることができる。
【００１６】
また、第５の発明は、第４の発明において、前記凸部は、前記凹部に遊嵌され、前記凹部に対して水平方向に移動可能であることを特徴とする浴室ユニットである。
【００１７】
この浴室ユニットによれば、凸部は、凹部に対して水平方向に移動可能であるため、浴槽排水口から凸部までの寸法がばらついたとしても、浴槽を浴槽用架台に載置した際に、浴槽の水平方向の位置をずらして、寸法のばらつきを吸収することができる。
【００１８】
また、第６の発明は、第３〜第５のいずれか１つの発明において、前記浴槽用架台は、上面部を形成するフレーム材と、前記フレーム材から前記洗い場用架台へ向かって突出し、前記排水エルボを保持可能な支持材と、を有することを特徴とする浴室ユニットである。
【００１９】
この浴室ユニットによれば、浴槽用架台の強度を低下させることなく、排水トラップを保持することができる。そのため、浴槽側導水口と浴槽排水口との接続作業をより容易に行うことができる。
【００２０】
また、第７の発明は、第６の発明において、前記支持材は、前記洗い場用架台の側から水平方向に前記排水エルボを挿入可能な開口部を有することを特徴とする浴室ユニットである。
【００２１】
この浴室ユニットによれば、洗い場用架台の側から水平方向に排水エルボを移動させ、支持材の開口部に挿入することができる。そのため、浴槽側導水口の周囲に形成された浴槽側フランジを支持材の上面に載置させやすい。そのため、浴室ユニットの施工をより楽に行うことができる。
【００２２】
また、第８の発明は、架台を設置面上に設置し、互いの相対位置が固定された洗い場側導水口および浴槽側導水口を有する排水トラップを前記架台に取り付け、前記架台に支持され洗い場排水口を有する洗い場床パンを前記架台の上に載置し、前記架台に取り付けられた前記排水トラップの前記洗い場側導水口の位置に前記洗い場排水口の位置を合わせ、前記洗い場側導水口と前記洗い場排水口とを回転不能に接続して前記架台の所定位置に前記洗い場床パンを固定し、前記架台に支持され浴槽排水口を有する浴槽を前記架台の上に載置し、前記架台に取り付けられた前記排水トラップの前記浴槽側導水口の位置に前記浴槽排水口の位置を合わせ、前記浴槽側導水口と前記浴槽排水口とを回転不能に接続して前記架台の所定位置に前記浴槽を固定することを特徴とする浴室ユニットの施工方法である。
【００２３】
この浴室ユニットの施工方法によれば、洗い場側導水口と、浴槽側導水口と、の相対位置が固定された排水トラップを用いて、洗い場側導水口と浴槽側導水口とを架台に取り付けた状態とする。そして、洗い場側導水口と洗い場排水口とを接続した状態とし、浴槽側導水口と浴槽排水口とを接続した状態とする。これにより、洗い場床パンに対して浴槽の位置決めを正確に行うことができる。そのため、洗い場床パンと浴槽との距離や相対位置にばらつきが生ずることを抑えることができる。
【００２４】
これによれば、バスエプロンと、バスエプロンの脇に設けられた壁パネルと、の間に隙間が生ずることを抑えることができる。また、洗い場床パンや浴槽を設置する前において、フレーム材が組まれた架台に排水トラップを取り付けておくことができるため、より楽な姿勢で浴室ユニットの施工を行うことができる。さらに、排水トラップを利用して洗い場床パンに対する浴槽の位置決めを行うため、特別な治具などは不要である。そのため、洗い場床パンに対して浴槽の位置決めをより低コストで正確に行うことができる。
【発明の効果】
【００２５】
本発明の態様によれば、洗い場床に対して浴槽の位置決めを正確に行うことができる浴室ユニットおよび浴室ユニットの施工方法が提供される。
【図面の簡単な説明】
【００２６】
【図１】本発明の実施の形態にかかる浴室ユニットを表す斜視模式図である。
【図２】本実施形態にかかる浴室ユニットを表す平面模式図である。
【図３】本実施形態にかかる浴室ユニットを斜め下方から眺めたときの斜視模式図である。
【図４】本実施形態の排水トラップの取付構造を説明するための斜視模式図である。
【図５】本実施形態の排水トラップの取付構造を説明するための斜視模式図である。
【図６】本実施形態の排水トラップを例示する斜視模式図である。
【図７】本発明の実施の形態にかかる浴室ユニットの施工方法を説明するための斜視模式図である。
【図８】本発明の実施の形態にかかる浴室ユニットの施工方法を説明するための斜視模式図である。
【図９】本発明の実施の形態にかかる浴室ユニットの施工方法を説明するための斜視模式図である。
【図１０】本発明の実施の形態にかかる浴室ユニットの施工方法を説明するための斜視模式図である。
【図１１】本発明の実施の形態にかかる浴室ユニットの施工方法を説明するための斜視模式図である。
【図１２】本発明の実施の形態にかかる浴室ユニットの施工方法を説明するための斜視模式図である。
【図１３】本発明の実施の形態にかかる浴室ユニットの施工方法を説明するための斜視模式図である。
【図１４】本発明の実施の形態にかかる浴室ユニットの施工方法を説明するための斜視模式図である。
【図１５】本発明の実施の形態にかかる浴室ユニットの施工方法を説明するための斜視模式図である。
【図１６】本発明の実施の形態にかかる浴室ユニットの施工方法を説明するための斜視模式図である。
【図１７】本発明の実施の形態にかかる浴室ユニットの施工方法を説明するための斜視模式図である。
【図１８】本発明の実施の形態にかかる浴室ユニットの施工方法を説明するための斜視模式図である。
【発明を実施するための形態】
【００２７】
以下、本発明の実施の形態について図面を参照しつつ説明する。なお、各図面中、同様の構成要素には同一の符号を付して詳細な説明は適宜省略する。  
図１は、本発明の実施の形態にかかる浴室ユニットを表す斜視模式図である。  
図２は、本実施形態にかかる浴室ユニットを表す平面模式図である。  
なお、図２は、本実施形態にかかる浴室ユニットを図１に表した矢印Ａ１の方向にみたときの平面模式図である。
【００２８】
図１に表した浴室ユニット１０は、架台１００と、洗い場床パン２００と、浴槽３００と、排水トラップ４００と、を備える。  
架台１００は、洗い場用架台１１０と、浴槽用架台１２０と、を有する。洗い場用架台１１０は、洗い場床パン２００を支持する。言い換えれば、洗い場床パン２００は、洗い場用架台１１０に載置されている。浴槽用架台１２０は、浴槽３００を支持する。言い換えれば、浴槽３００は、浴槽用架台１２０に載置されている。
【００２９】
洗い場用架台１１０は、下部に設けられた支持脚１１１を有する。一方、浴槽用架台１２０は、下部に設けられた支持脚１２１を有する。図２に表したように、浴槽用架台１２０は、連結材１１３を介して例えばねじなどの締結部材（図示せず）により連結されている。架台１００は、洗い場用架台１１０と浴槽用架台１２０とが連結された状態で、図示しない建物床の上に載置されている。
【００３０】
洗い場床パン２００は、洗い場排水口２１０を有し、使用者が例えば身体を洗浄可能な洗い場２０１を形成する。洗い場床パン２００の上（表側）の水は、洗い場排水口２１０を通過し、排水トラップ４００へ導かれる。そして、排水トラップ４００へ導かれた水は、洗い場床パン２００の下（裏側）に設けられた排水管６１０（図３参照）を通過して排出される。つまり、洗い場排水口２１０は、洗い場２０１の水を排出することができる。  なお、本願明細書において「水」という場合には、冷水のみならず、加熱されたお湯も含むものとする。
【００３１】
浴槽３００は、浴槽排水口３１０を有する。浴槽３００内の水は、浴槽排水口３１０を通過し、排水トラップ４００へ導かれる。そして、排水トラップ４００へ導かれた水は、洗い場床パン２００の下（裏側）に設けられた排水管６１０を通過して排出される。つまり、浴槽排水口３１０は、浴槽３００内の水を排出することができる。
【００３２】
図２に表したように、排水トラップ４００は、架台１００に取り付けられ固定されている。排水トラップ４００は、洗い場排水口２１０を介して洗い場２０１から排出された水を受けることができる。また、排水トラップ４００は、浴槽排水口３１０を介して浴槽３００内から排出された水を受けることができる。そして、排水トラップ４００は、洗い場２０１および浴槽３００から導かれた水を排水管６１０へ排出することができる。排水トラップ４００については、後に詳述する。
【００３３】
図１に表したように、浴室ユニット１０の外周部には、接続部材５１０と、壁パネル５２０と、が設置されている。接続部材５１０は、互いに隣り合う壁パネル５２０同士を連接する。壁パネル５２０は、洗い場床パン２００の縁に設けられた図示しない壁パネル載置面に設置されている。あるいは、壁パネル５２０は、浴槽３００の縁に設けられた図示しない壁パネル載置面に設置されている。そして、複数の壁パネル５２０は、接続部材５１０により連接され立設されている。複数の壁パネル５２０のいずれかには、図示しないドア取付枠を介して図示しないドアが設けられている。なお、接続部材５１０および壁パネル５２０の設置数は、図１に表した接続部材５１０および壁パネル５２０の設置数に限定されるわけではない。
【００３４】
また、洗い場床パン２００と浴槽３００との間には、バスエプロン５３０が設置されている。バスエプロン５３０は、浴槽３００の側面を覆っている。つまり、バスエプロン５３０は、洗い場床パン２００と浴槽３００との間に形成される開口を塞ぐように取り付けられている。
【００３５】
ここで、図１および図２に表したように、洗い場床パン２００と浴槽３００とが別体として設けられた場合において、洗い場床パン２００や架台１００を基準として浴槽３００の位置決めを行う場合を考える。この場合、洗い場床パン２００と浴槽３００との間に複数の介在部材が存在するため、洗い場床パン２００と浴槽３００との距離や相対位置にばらつきが生ずることがある。すなわち、架台１００は、複数のフレーム材や複数の板材などを有する。そうすると、複数のフレーム材や複数の板材などの部品誤差や組立誤差が積み上がる場合がある。これによれば、洗い場床パン２００と浴槽３００との距離や相対位置にばらつきが生ずる場合がある。
【００３６】
洗い場床パン２００と浴槽３００との距離や相対位置にばらつきが生ずると、バスエプロン５３０と、バスエプロン５３０の脇に設けられた壁パネル５２０と、の間に隙間が生ずる場合がある。作業者が例えば差し金などを用いて浴槽３００の位置を調整しても、バスエプロン５３０が取り付けられる洗い場床パン２００と浴槽３００との間の開口には高低差があるため、洗い場床パン２００と浴槽３００との位置関係を正確に測定することは困難である。また、作業者にかかる負荷は、比較的大きい。
【００３７】
あるいは、例えば、洗い場床パン２００と浴槽３００との距離が設計値よりも離れると、互いに隣り合う壁パネル５２０同士が設計値よりも離れる位置に設置される。これによれば、接続部材５１０による壁パネル５２０同士の連結が困難あるいは不能となったり、壁パネル５２０同士の連結部分に隙間が生ずる場合がある。あるいは、例えば、洗い場床パン２００と浴槽３００との距離が設計値よりも近づくと、互いに隣り合う壁パネル５２０同士が設計値よりも近づく位置に設置される。これによれば、壁パネル５２０が浴槽３００や洗い場床パン２００の側へ凸となるように撓んだり、止水性を確保するシリコンなどのシール剤を塗布する隙間が確保されない場合がある。
【００３８】
これに対して、本実施形態にかかる浴室ユニット１０によれば、架台１００に取り付けられた排水トラップ４００を利用して、洗い場床パン２００および浴槽３００の位置決めを行う。これによれば、洗い場床パン２００に対して浴槽３００の位置決めを正確に行うことができる。そのため、洗い場床パン２００と浴槽３００との距離や相対位置にばらつきが生ずることを抑えることができる。そして、バスエプロン５３０と、バスエプロン５３０の脇に設けられた壁パネル５２０と、の間に隙間が生ずることを抑えることができる。また、互いに隣り合う壁パネル５２０同士が設計値よりも離れる位置に設置されたり、近づく位置に設置されることを抑えることができる。さらには、洗い場床パン２００に対して浴槽３００の位置決めを行うときに、例えば差し金などを用いた作業は、不要となる。そのため、洗い場床パン２００に対して浴槽３００の位置決めをより容易に行うことができる。
【００３９】
次に、洗い場床パン２００に対する浴槽３００の位置決め構造について、図面を参照しつつ説明する。  
図３は、本実施形態にかかる浴室ユニットを斜め下方から眺めたときの斜視模式図である。  
図４および図５は、本実施形態の排水トラップの取付構造を説明するための斜視模式図である。  
図６は、本実施形態の排水トラップを例示する斜視模式図である。
【００４０】
図３に表したように、排水トラップ４００は、架台１００からみて洗い場床パン２００および浴槽３００とは反対側に設けられ、架台１００に固定されている。排水トラップ４００には、排水管６１０が接続されている。排水管６１０は、洗い場２０１および浴槽３００から導かれた水を排出する。
【００４１】
図６に表したように、排水トラップ４００は、排水トラップ本体４１０と、排水エルボ４２０と、接続部４３０と、を有する。排水トラップ本体４１０は、洗い場側導水口４１１と、洗い場側導水口４１１の周囲に形成された洗い場側フランジ４１３と、を有する。排水エルボ４２０は、浴槽側導水口４２１と、浴槽側導水口４２１の周囲に形成された浴槽側フランジ４２３と、を有する。
【００４２】
接続部４３０は、排水トラップ本体４１０と、排水エルボ４２０と、を接続する。つまり、接続部４３０は、洗い場側導水口４１１と、浴槽側導水口４２１と、を接続する。接続部４３０は、例えば樹脂や金属などにより形成され、非可撓性を有する。つまり、接続部４３０は、例えば蛇腹構造を有するホースや、弾性を有するゴムにより形成されたホースなどのようには可撓性を有していない。そのため、洗い場側導水口４１１と、浴槽側導水口４２１と、の相対位置は、固定されている。
【００４３】
図４および図５に表したように、排水トラップ本体４１０は、洗い場側フランジ４１３において例えばねじなどの締結部材５５１により洗い場用架台１１０に取り付けられ固定されている。例えば、排水トラップ本体４１０は、洗い場側フランジ４１３において４つの締結部材５５１により固定されている。また、排水エルボ４２０は、浴槽側フランジ４２３において締結部材５５１により浴槽用架台１２０に取り付けられ固定されている。例えば、排水エルボ４２０は、浴槽側フランジ４２３において２つの締結部材５５１により固定されている。但し、洗い場側フランジ４１３および浴槽側フランジ４２３において用いられる締結部材５５１の個数は、これだけに限定されるわけではない。排水トラップ本体４１０および排水エルボ４２０が回転しないように、洗い場側フランジ４１３および浴槽側フランジ４２３において複数の締結部材５５１が用いられればよい。
【００４４】
具体的には、浴槽用架台１２０は、フレーム材１２５と、フレーム材１２５に固定された板材１２７と、支持材１２８と、を有する。フレーム材１２５は、浴槽用架台１２０の上面（浴槽３００が載置される側の面）部を形成する。支持材１２８は、フレーム材１２５に付設され、洗い場２０１の側すなわち洗い場用架台１１０あるいは洗い場床パン２００の側へ向かって突出している。図４に表したように、支持材１２８には、洗い場用架台１１０の側に開口を有する開口部１２９が形成されている。そして、排水エルボ４２０の少なくとも一部は、洗い場用架台１１０の側から水平方向に支持材１２８の開口部１２９に挿入され、浴槽側フランジ４２３において支持材１２８に保持されている。つまり、排水エルボ４２０の少なくとも一部は、浴槽側フランジ４２３が支持材１２８の上面に載置された状態で保持されている。これによれば、浴槽用架台１２０の強度を低下させることなく、排水トラップ４００を保持することができる。
【００４５】
一方、洗い場側フランジ４１３は、洗い場用架台１１０に載置されているわけではない。排水トラップ本体４１０の少なくとも一部は、洗い場側フランジ４１３が洗い場用架台１１０の下面（洗い場床パン２００が載置される側とは反対側の面）に付設された状態で洗い場用架台１１０に取り付けられている。
【００４６】
そして、図４に表したように、洗い場側導水口４１１は、洗い場排水口２１０に接続されている。排水トラップ本体４１０が締結部材５５１により回転しないように洗い場用架台１１０に固定されているため、洗い場側導水口４１１は、洗い場排水口２１０に回転不能に接続されている。また、浴槽側導水口４２１は、浴槽排水口３１０に接続されている。排水エルボ４２０が締結部材５５１により回転しないように浴槽用架台１２０の支持材１２８に固定されているため、浴槽側導水口４２１は、浴槽排水口３１０に回転不能に接続されている。
【００４７】
このようにして、洗い場側導水口４１１と、浴槽側導水口４２１と、の相対位置が予め固定された排水トラップ４００は、洗い場側導水口４１１が洗い場排水口２１０に接続された状態で、および浴槽側導水口４２１が浴槽排水口３１０に接続された状態で、架台１００に固定されている。これにより、洗い場床パン２００に対して浴槽３００の位置決めを正確に行うことができる。そのため、洗い場床パン２００と浴槽３００との距離や相対位置にばらつきが生ずることを抑えることができる。
【００４８】
これによれば、バスエプロン５３０と、バスエプロン５３０の脇に設けられた壁パネル５２０と、の間に隙間が生ずることを抑えることができる。また、互いに隣り合う壁パネル５２０同士が設計値よりも離れる位置に設置されたり、近づく位置に設置されることを抑えることができる。さらには、洗い場床パン２００に対して浴槽３００の位置決めを行うときに、例えば差し金などを用いた作業は、不要となる。そのため、洗い場床パン２００に対して浴槽３００の位置決めをより容易に行うことができる。
【００４９】
また、前述したように、洗い場側導水口４１１を有する排水トラップ本体４１０は、洗い場用架台１１０に取り付けられている。浴槽側導水口４２１を有する排水エルボ４２０は、浴槽用架台１２０に取り付けられている。これにより、排水トラップ４００の水平方向における位置決めをより確実且つより容易に行うことができる。また、洗い場床パン２００に対する浴槽３００の位置決めをさらに正確に行うことができる。
【００５０】
また、作業者は、排水エルボ４２０の少なくとも一部を支持材１２８の開口部１２９に挿入することができるため、浴槽側フランジ４２３を支持材１２８の上面に載置させやすい。そのため、浴室ユニット１０の施工作業をより楽に進めることができる。また、排水エルボ４２０の少なくとも一部は、例えば浴槽３００内から排出される水により比較的大きい荷重を受けても、浴槽側フランジ４２３において支持材１２８に保持されているため、浴槽用架台１２０の強度を確保することができる。
【００５１】
なお、排水トラップ４００を、樹脂の射出成型部品を組み合わせて形成すれば、寸法精度が良くなり、洗い場床パン２００に対して浴槽３００を極めて高い精度で位置決めすることができる。
【００５２】
次に、本発明の実施の形態にかかる浴室ユニットの施工方法について、図面を参照しつつ説明する。  
図７〜図１８は、本発明の実施の形態にかかる浴室ユニットの施工方法を説明するための斜視模式図である。  
なお、図１５は、図１４に表した領域Ｂを拡大して眺めた拡大模式図である。
【００５３】
まず、例えばねじなどの締結部材（図示せず）により、連結材１１３（図２参照）を介して洗い場用架台１１０と浴槽用架台１２０とを連結する。続いて、支持脚１１１、１２１の長さを適宜調整し、図７に表したように、架台１００を例えば建物床などの設置面の上に設置する。
【００５４】
続いて、図８に表したように、洗い場側導水口４１１および浴槽側導水口４２１が洗い場排水口２１０および浴槽排水口３１０の下方位置にそれぞれ配置されるように、排水トラップ４００を架台１００に取り付ける。
【００５５】
具体的には、まず、排水エルボ４２０の少なくとも一部を支持材１２８の開口部１２９に挿入し、浴槽側フランジ４２３において支持材１２８に保持させる。つまり、排水エルボ４２０の少なくとも一部を支持材１２８の開口部１２９に挿入し、浴槽側フランジ４２３を支持材１２８の上面（浴槽３００が載置される側の面）に載置する。続いて、洗い場側フランジ４１３を洗い場用架台１１０の下面に当て、洗い場用架台１１０の上面（洗い場床パン２００が載置される側の面）側から締結部材５５１により排水トラップ本体４１０を洗い場用架台１１０に固定する。このとき、複数の締結部材５５１を用いて排水トラップ本体４１０を洗い場用架台１１０に固定することで、排水トラップ本体４１０が回転しないようにする。続いて、支持材１２８の上面側から締結部材５５１により排水エルボ４２０を支持材１２８に固定する。このとき、複数の締結部材５５１を用いて排水エルボ４２０を支持材１２８に固定することで、排水エルボ４２０が回転しないようにする。
【００５６】
続いて、図９および図１１に表したように、洗い場用架台１１０のコーナ部であって浴槽３００が設置される側とは反対側のコーナ部に接続部材固定具５１５を締結部材５５１により固定する。続いて、図１０（ａ）、図１０（ｂ）、および図１１に表したように、洗い場用架台１１０の側面であって浴槽３００が設置される側とは反対側の側面に接続部材固定具５１６を固定する。接続部材固定具５１５、５１６は、接続部材５１０を固定し立設させることができる。
【００５７】
続いて、図１１に表した矢印Ａ２のように洗い場床パン２００を接続部材固定具５１５、５１６の方向へ移動させて接続部材固定具５１５、５１６に位置に合わせる。そして、洗い場床パン２００の洗い場排水口２１０の位置が架台１００に取り付けられた排水トラップ４００の洗い場側導水口４１１の位置に合うように位置合わせを行う。続いて、洗い場床パン２００を洗い場用架台１１０に固定する。
【００５８】
続いて、図１２に表したように、ワッシャ２２１と、第１の締め付けフランジ２２３と、封水筒２２５を洗い場排水口２１０の部分に取り付ける。第１の締め付けフランジ２２３を取り付けることにより、排水トラップ本体４１０を洗い場排水口２１０が形成された部分に取り付けることができる。
【００５９】
このとき、洗い場床パン２００は、接続部材固定具５１５、５１６により回転不能とされ、洗い場用架台１１０に固定されている。また、洗い場側導水口４１１を有する排水トラップ本体４１０は、複数の締結部材５５１により洗い場用架台１１０に固定され回転不能とされている。これにより、洗い場側導水口４１１を洗い場排水口２１０に対して回転不能に接続することができる。
【００６０】
続いて、図１３に表したように、浴槽３００の浴槽排水口３１０の位置が架台１００に取り付けられた排水トラップ４００の浴槽側導水口４２１の位置に合うように位置合わせを行う。具体的には、例えば、浴槽排水口３１０の周縁から下方に延在する図示しない凸部を排水エルボ４２０に形成された図示しない凹部に差し込む。そうすると、浴槽排水口３１０の位置を浴槽側導水口４２１の位置に合うように位置合わせを行うことができる。続いて、浴槽３００を浴槽用架台１２０に固定する。
【００６１】
ここで、図１４および図１５に表したように、浴槽３００の下面には凹部３２０が設けられている。一方、浴槽用架台１２０の上面には凸部１２３が設けられている。例えば、凸部１２３を有する板材が、浴槽用架台１２０の上面に締結部材５５１により取り付けられている。凹部３２０と凸部１２３とは、互いに嵌合可能である。図１４に表したように、凹部３２０および凸部１２３は、例えば浴槽３００の短辺と略平行する方向に延在している。言い換えれば、凹部３２０および凸部１２３は、例えば浴槽３００の長辺と略直交する方向に延在している。図１４に表したように、複数の凹部３２０および複数の凸部１２３が設けられていてもよい。あるいは、１つの凹部３２０および１つの凸部１２３が設けられていてもよい。
【００６２】
浴槽３００を浴槽用架台１２０に載置し、浴槽用架台１２０の凸部１２３を浴槽３００の凹部３２０に嵌合させることで、浴槽用架台１２０に対して浴槽排水口３１０を中心として浴槽３００が回転することを抑えることができる。また、このとき、浴槽用架台１２０の凸部１２３は、浴槽３００の凹部３２０に遊嵌されている。そのため、例えば浴槽排水口３１０の位置を浴槽側導水口４２１の位置に合うように位置合わせを行う際に、凹部３２０に対して凸部１２３を水平方向に移動可能である。すなわち、浴槽用架台１２０に対して浴槽３００を水平方向に移動させることができる。これにより、浴槽排水口３１０から凸部１２３までの寸法がばらついたとしても、浴槽３００を浴槽用架台１２０に載置した際に、浴槽３００の水平方向の位置をずらして寸法のばらつきを吸収することができる。この浴槽３００の水平方向の位置のずれは、浴槽３００の回転に対する法線方向への微小量のずれである。
【００６３】
なお、図１４および図１５では、浴槽３００の下面に凹部３２０が設けられ、浴槽用架台１２０の上面に凸部１２３が設けられているが、これだけに限定されるわけではない。例えば、浴槽３００の下面に凸部が設けられ、浴槽用架台１２０の上面に凹部が設けられていてもよい。この場合でも、浴槽用架台１２０に対して浴槽３００が回転することを抑えることができる。
【００６４】
続いて、図１６に表したように、例えば治具３３９などを用いて第２の締め付けフランジ３３３を浴槽排水口３１０の部分に取り付ける。第２の締め付けフランジ３３３を取り付けることにより、排水エルボ４２０を浴槽排水口３１０が形成された部分に取り付けることができる。
【００６５】
このとき、浴槽３００は、浴槽３００の凹部３２０および浴槽用架台１２０の凸部１２３により回転不能とされ、浴槽用架台１２０に固定されている。また、浴槽側導水口４２１を有する排水エルボ４２０は、複数の締結部材５５１により浴槽用架台１２０に固定され回転不能とされている。これにより、浴槽側導水口４２１を浴槽排水口３１０に対して回転不能に接続することができる。
【００６６】
続いて、図１７に表した矢印Ａ３および矢印Ａ４のようにバスエプロン５３０を移動させ、洗い場床パン２００と浴槽３００との間に形成される開口を塞ぐようにバスエプロン５３０を取り付ける。そして、図１８に表した矢印Ａ５のように、バスエプロン５３０の下部を浴槽３００の側に押し込むことで、洗い場床パン２００と浴槽３００との間にバスエプロン５３０を取り付け固定することができる。
【００６７】
本実施形態にかかる浴室ユニット１０の施工方法によれば、洗い場側導水口４１１と、浴槽側導水口４２１と、の相対位置が固定された排水トラップ４００を用いて、洗い場側導水口４１１と浴槽側導水口４２１とを架台１００に取り付けた状態とする。そして、洗い場側導水口４１１と洗い場排水口２１０とを接続した状態とし、浴槽側導水口４２１と浴槽排水口３１０とを接続した状態とする。これにより、洗い場床パン２００に対して浴槽３００の位置決めを正確に行うことができる。そのため、洗い場床パン２００と浴槽３００との距離や相対位置にばらつきが生ずることを抑えることができる。
【００６８】
これによれば、バスエプロン５３０と、バスエプロン５３０の脇に設けられた壁パネル５２０と、の間に隙間が生ずることを抑えることができる。また、洗い場床パン２００や浴槽３００を設置する前において、フレーム材が組まれた架台１００に排水トラップ４００を取り付けておくことができるため、より楽な姿勢で浴室ユニット１０の施工を行うことができる。さらに、排水トラップ４００を利用して洗い場床パン２００に対する浴槽３００の位置決めを行うため、特別な治具などは不要である。そのため、洗い場床パン２００に対して浴槽３００の位置決めをより低コストで正確に行うことができる。
【００６９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、架台１００や洗い場床パン２００や浴槽３００や排水トラップ４００などが備える各要素の形状、寸法、材質、配置などや排水トラップ本体４１０や排水エルボ４２０の設置形態などは、例示したものに限定されるわけではなく適宜変更することができる。また、浴槽排水口３１０と排水エルボ４２０とを別部品を介して接続してもよい。この別部材を介した接続は、特に、浴槽３００の周囲に保温パンを設置する場合に有効である。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７０】
１０ 浴室ユニット、  １００ 架台、  １１０ 洗い場用架台、  １１１ 支持脚、  １１３ 連結材、  １２０ 浴槽用架台、  １２１ 支持脚、  １２３ 凸部、  １２５ フレーム材、  １２７ 板材、  １２８ 支持材、  １２９ 開口部、  ２００ 洗い場床パン、  ２０１ 洗い場、  ２１０ 洗い場排水口、  ２２１ ワッシャ、  ２２３ 第１の締め付けフランジ、  ２２５ 封水筒、  ３００ 浴槽、  ３１０ 浴槽排水口、  ３２０ 凹部、  ３３３ 第２の締め付けフランジ、  ３３９ 治具、  ４００ 排水トラップ、  ４１０ 排水トラップ本体、  ４１１ 洗い場側導水口、  ４１３ 洗い場側フランジ、  ４２０ 排水エルボ、  ４２１ 浴槽側導水口、  ４２３ 浴槽側フランジ、  ４３０ 接続部、  ５１０ 接続部材、  ５１５、５１６ 接続部材固定具、  ５２０ 壁パネル、  ５３０ バスエプロン、  ５５１ 締結部材、  ６１０ 排水管
【図１】
0005656023.tif 000002
【図２】
0005656023.tif 000003
【図３】
0005656023.tif 000004
【図４】
0005656023.tif 000005
【図５】
0005656023.tif 000006
【図６】
0005656023.tif 000007
【図７】
0005656023.tif 000008
【図８】
0005656023.tif 000009
【図９】
0005656023.tif 000010
【図１０】
0005656023.tif 000011
【図１１】
0005656023.tif 000012
【図１２】
0005656023.tif 000013
【図１３】
0005656023.tif 000014
【図１４】
0005656023.tif 000015
【図１５】
0005656023.tif 000016
【図１６】
0005656023.tif 000017
【図１７】
0005656023.tif 000018
【図１８】
0005656023.tif 000019